(57)【要約】【課題】操作者の入力に伴うフィルムの張りの強さの変化を、操作者に視覚的に提示することで、操作者が行うフィルムの張りの強さの設定作業を補助できるようにする。【解決手段】操作員がフィルムを張る力を「＋」側（大きくする方向）に操作するボタンＢＡをタッチ操作すると、フィルムの張りの強さが大きくなったことを操作員にイメージさせる形状イメージ画像ＧＢａを表示する。これにより、操作員は、自分が行ったタッチ操作に応じて、フィルムの張りの強さが大きくなったことを視覚的に認識できる。また、目盛り画像ＳＣ上のスライダ画像ＳＬの表示位置を、一目盛り分、図の右側へ移動する。それにより、表示画像上でフィルムの張りの様子がシミュレーション表示され、操作員は、自分の行った操作に対する包装装置１００の内部状態の変化（操作の結果）を視覚的に認識できる。【選択図】        図９
2014181051.tif 000002
【特許請求の範囲】
【請求項１】
包装部に張架したフィルムに向けて被包装物を突き上げて該被包装物の表面をフィルムで覆い、そのフィルムの端部を被包装物の底面側に折り込んで包装する包装装置において、
前記包装部でのフィルムの張架と、前記被包装物を前記フィルムで包装する包装動作とを制御する制御手段と、
操作画面を表示する画面表示手段と、
前記操作画面に前記フィルムのイメージ画像と、前記フィルムを張架する力を増減方向に入力操作するための操作子とを表示し、前記操作子の入力操作がなされると、その入力操作に対応して、前記表示したフィルムのイメージ画像の表示態様を変化させるフィルム形状表示制御手段と、
前記入力操作された前記操作子の入力操作に対応した値を、前記制御手段が前記フィルムを張架する制御データとして設定する設定手段とを備えたことを特徴とする包装装置。
【請求項２】
包装部に張架したフィルムに向けて被包装物を突き上げて該被包装物の表面をフィルムで覆い、そのフィルムの端部を前記被包装物の底面側に折り込んで包装する制御を行う制御手段と、
操作画面を表示する画面表示手段と、を有する包装装置の制御方法であって、
前記操作画面に前記フィルムのイメージ画像と、前記フィルムを張架する力を増減方向に入力操作する操作子とを表示する第１のステップと、
前記操作子の入力操作がなされると、その入力操作に対応して、前記表示したフィルムのイメージ画像の表示態様を変化させる第２のステップと、
前記入力操作された前記操作子の入力操作に対応した値を、前記制御手段が前記フィルムを張架する制御データとして設定する第３のステップとを有することを特徴とする包装装置の制御方法。
【発明の詳細な説明】
【技術分野】
【０００１】
本発明は、被包装物を包装するフィルムを制御する制御手段を有する包装装置およびその制御方法に関する。
【背景技術】
【０００２】
スーパーマーケットやコンビニエンスストアなどで販売される商品には、発泡スチロールなどの材料で形成されたトレイに、物品（販売する商品）を収容し、トレイと物品とをストレッチ性のあるフィルム（ストレッチフィルム）で包装し販売する商品がある。
【０００３】
そして、このような商品の包装を行う包装値付装置が、従来から、実用されていた（特許文献１参照）。
【先行技術文献】
【特許文献】
【０００４】
【特許文献１】特開２００４−３２３１１４号公報
【発明の概要】
【発明が解決しようとする課題】
【０００５】
このような包装値付装置では、フィルムが適度な強さで包装対象となる商品等を包み込まないと、包装が綺麗に仕上がらない。例えば、フィルムの張りが弱いと包装後にフィルムが弛んでしまって、包装された商品の見栄えが悪くなる。逆に、フィルムの張りが強すぎると、包装の際にフィルムが破断したり、トレイが変形あるいは破損するなどの事態を生じるおそれがある。
【０００６】
そこで、従来、包装値付装置の操作者は、包装が綺麗に仕上がるように、勘や経験に頼って、トレイ種別毎に包装時のフィルムの張りの強さを数値入力して設定するが、その設定は、フィルムの張りの強さの設定と、商品（被包装物）の包装とを交互に実施し、仕上がり具合を見ながら設定値を決定しなければならず、その手間と時間が面倒であった。
【０００７】
この発明は、かかる実情に鑑みてなされたものであり、操作者が行うフィルムの張りの強さの設定を手間無く容易に行うことができる包装装置およびその制御方法を提供することを目的とする。
【課題を解決するための手段】
【０００８】
この発明は、包装部に張架したフィルムに向けて被包装物を突き上げて該被包装物の表面をフィルムで覆い、そのフィルムの端部を被包装物の底面側に折り込んで包装する包装装置において、前記包装部でのフィルムの張架と、前記被包装物を前記フィルムで包装する包装動作とを制御する制御手段と、操作画面を表示する画面表示手段と、前記操作画面に前記フィルムのイメージ画像と、前記フィルムを張架する力を増減方向に入力操作するための操作子とを表示し、前記操作子の入力操作がなされると、その入力操作に対応して、前記表示したフィルムのイメージ画像の表示態様を変化させるフィルム形状表示制御手段と、前記入力操作された前記操作子の入力操作に対応した値を、前記制御手段が前記フィルムを張架する制御データとして設定する設定手段とを備えたものである。
【０００９】
また、本発明は、包装部に張架したフィルムに向けて被包装物を突き上げて該被包装物の表面をフィルムで覆い、そのフィルムの端部を前記被包装物の底面側に折り込んで包装する制御を行う制御手段と、操作画面を表示する画面表示手段と、を有する包装装置の制御方法であって、前記操作画面に前記フィルムのイメージ画像と、前記フィルムを張架する力を増減方向に入力操作する操作子とを表示する第１のステップと、前記操作子の入力操作がなされると、その入力操作に対応して、前記表示したフィルムのイメージ画像の表示態様を変化させる第２のステップと、前記入力操作された前記操作子の入力操作に対応した値を、前記制御手段が前記フィルムを張架する制御データとして設定する第３のステップとを有することを特徴とする包装装置の制御方法も提供する。
【発明の効果】
【００１０】
以上説明したように、本発明によれば、操作者の入力操作に伴うフィルムの張りの強さの変化を、実際に被包装物を包装することなく操作者に視覚的に提示するので、操作者がフィルムの張りの強さを設定する際に、フィルムの張りの強さの設定作業と、実際の商品（被包装物）の包装とを交互に実施する必要がなくなり、その設定作業の手間を大幅に軽減することができる。効果の詳細は、後述する。
【図面の簡単な説明】
【００１１】
【図１】図１は、本発明の一実施例に係る包装装置１００の一例を示す縦断側面図である。
【図２】図２は包装装置１００の商品搬入部の一例を示す縦断正面図である。
【図３】図３は、コンベア１の周囲の構成の一例を示す概略部分図である。
【図４】図４は、本発明の実施形態に係る包装装置１００の電気的な構成図である。
【図５】図５は包装装置１００の機能ブロックの一例を示す図である。
【図６】図６は、吸着部駆動部４３の構成の一例を示す図である。
【図７】図７は包装装置１００の記憶部に記憶されているトレイ情報の一例を示す図である。
【図８】図８は、操作表示部３９の表示部に表示したトレイ設定画面（簡易設定画面）の一例を示す図である。
【図９】図９は、操作員がフィルムの張りの強さを大きくする方向に操作した際のトレイ設定画面の一例を示す図である（簡易設定画面）。
【図１０】図１０は、操作員がフィルムの張りの強さを小さくする方向に操作した際のトレイ設定画面の一例を示す図である（簡易設定画面）。
【図１１】図１１は、操作表示部３９が設定画面ＳＢａ内でタッチ操作されたことを検出した場合に、制御部５２が行う処理の一例を示したフローチャートである。
【図１２】図１２は、操作員がフィルムが破断する可能性がある操作をした際のトレイ設定画面の一例を示す図である。
【図１３】図１３は、操作表示部３９が設定画面ＳＢａ内でタッチ操作されたことを検出した場合に、制御部５２が行う処理の他の例を示したフローチャートである。
【図１４】図１４は、操作表示部３９の表示部に表示したトレイ設定画面（詳細設定画面）の一例を示す図である。
【発明を実施するための形態】
【００１２】
以下、添付図面を参照しながら、この発明の実施の形態を詳細に説明する。
図１は、本発明の一実施例に係る包装装置１００の一例を示す縦断側面図である。図２は包装装置１００の商品搬入部の一例を示す縦断正面図である。図３は、コンベア１の周囲の構成の一例を示す概略部分図である。
本実施例では、ストレッチフィルム包装装置において、本発明に係る発明を適用した一例を説明する。また、本実施例では、物品を包装するフィルムとして、ストレッチ性のあるフィルムを用いている。
【００１３】
図１、図２に示したように、本実施例に係る包装装置１００は、ストレッチフィルム包装機Ａ（包装部）と、２つの計量ラベルプリンタＢ，Ｂ’と、ラベル貼付装置Ｃと、を有する。計量ラベルプリンタＢ，Ｂ’は、包装機Ａにおける商品搬出路の側方上部に包装済みの商品を挟んで左右（図２正面視方向）にそれぞれ配置され、ラベル貼付装置Ｃは商品搬出路の上方に配置されている。また、ラベル貼付装置Ｃには、２つのラベルを別々に印刷する機構（後述）が備えられている。
【００１４】
本実施例では、被包装物Ｆとして、トレイ上に商品を載置したものを採用する。被包装物Ｆは、引き延ばされた状態のフィルム５’（後述）で包装され、このフィルム５’が縮む方向に作用することで、トレイとそのトレイに収容された商品にフィルム５’が密着し、商品棚などに陳列した際の体裁を保つ。なお、被包装物Ｆとしては、この形態に限られるものではなく、トレイを用いない包装商品（例えば、胡瓜やキャベツまたは白菜等をカットしたカット野菜等の青果物をそのまま包装する包装形態等）であってもよい。
【００１５】
包装装置１００は、サイズ検出部を有する。サイズ検出部は、トレイのサイズとして、トレイの幅、高さ、縦幅（（奥行き）長さ）を検出する。サイズ検出部は、詳細には、光センサ３ａ、３ｂなどを有する。サイズ検出部は、詳細には、被包装物Ｆのトレイの幅を検出する反射型光センサ３ａ、３ａ’と、被包装物Ｆのトレイの奥行き（縦幅）の検出やトレイの高さの検出を行う光センサ３ｂと、などを有する。なお、本実施例では、トレイの高さを検出する光検出センサ３ｂは、一つ又は複数の光源と、それに対して所定距離だけ離間して配置された複数の受光素子とが上下方向に並べて配置されている。
【００１６】
光センサ３ｂの一番下に位置するセンサは、トレイ（商品）の縦幅（奥行き）を検出するセンサを兼用している。トレイの縦幅は、この光センサ３ｂがトレイの前端部（コンベアの進行方向に沿って）を検出した時からトレイの後端部を検出した時までの、プッシャーコンベア１の移動距離から算出される。
【００１７】
詳細には、光センサ３ｂとしての発光部と受光部とが、所定間隔だけ離れて配置されている。コンベア上に載置されたトレイは、光センサ３ｂとしての発光部と受光部との間を予め規定された速度で通過するように構成されている。
発光部と受光部との間にトレイが位置していない場合、受光部は、発光部から比較的大きな光強度の光を受光する。発光部と受光部との間にトレイが位置する場合、発光部から射出された光がトレイに遮られ、受光部では比較的小さな光強度の光を受光する。制御部は、受光部で受光される、時間経過に伴う光の強度の強弱のパターンに基づいて、弱い光強度を検出している時間と、トレイの移動する速度（規定速度）とを乗算することで、トレイの縦幅（奥行き）を算出する。
【００１８】
ストレッチフィルム包装機Ａは、フィルムの幅方向を拡張する機構（プレストレッチ機構）を備えた包装機であり、機枠Ａ１の正面、即ち前部に商品（被包装物Ｆ）を載置する商品載置部（計量皿）ａを備え、該商品載置部ａの手前側近傍に反射型光センサ３ａ，３ａ’と、その反射型光センサ３ａ，３ａ’を被包装物Ｆの幅方向へ移動させる移動手段３５とからなる被包装物Ｆの載置ズレ及び幅寸法を検出する検出手段Ｄを備える（図３参照）。包装装置１００は、商品載置部ａに載せた被包装物Ｆがプッシャーコンベア１により機枠内部に設けたエレベータ２まで搬送されるように構成されている。
【００１９】
そのコンベア１による商品搬送路の途上に、そのコンベア１の側方に位置させて被包装物Ｆの縦幅（奥行き）及び高さを検出する高さ検出センサ３ｂが設けられている。
上記エレベータ２の上方には包装部ｂが設けられ、その包装部ｂの上流側（図２の右側）には、フィルムロール配置部４とそのフィルムロール配置部にセットされたフィルムロール５から繰り出されるフィルム（ストレッチ性のあるフィルム；ストレッチフィルム）５’の先端部を保持するフィルム保持手段Ａ２が設けられている。
【００２０】
包装部ｂを挟む前後両側部には、フィルム保持手段Ａ２で保持されているフィルム先端を挟持して引き出し、包装部ｂまで搬送する上下の搬送ベルトからなるフィルム搬送機構Ａ３が、フィルム保持手段Ａ２の先端に接近させて配置され、フィルム保持手段Ａ２と搬送機構Ａ３との間には、搬送機構Ａ３で挟持され引き出されたフィルムを所定長さに切断するカッターＡ４が配置されている。
【００２１】
搬送機構Ａ３の上方には、左右折り込み板Ａ５と後折り込み板Ａ６、及び、後折り込み板Ａ６の上方に位置して排出プッシャＡ７が配設され、機枠Ａ１の前側に配置したコンベア１の上方には、前折り込みローラ６’および前記排出プッシャＡ７で押し出される商品の排出路（ヒータコンベア）６が水平に設けられている。
【００２２】
包装装置１００は、エレベータ２に載せられた被包装物Ｆを、エレベータの上昇により上記包装部ｂに展張されたフィルム５’に対して突き上げ、引き伸ばされた状態のフィルムの左右および後側端部を、左右折り込み板Ａ５と後折り込み板Ａ６とにより被包装物Ｆの底面に折り込んだ後、排出プッシャＡ７により被包装物Ｆを機枠Ａ１前側の排出路６へ向けて水平に押動させながら、前折り込みローラ６’で上記フィルム５’の前側端部を折り込んでフィルムの折り込みを行う。
【００２３】
図４は、本発明の実施形態に係る包装装置１００の電気的な構成図である。図５は包装装置１００の機能ブロックの一例を示す図である。図６は、吸着部駆動部４３の構成の一例を示す図である。図４に示したように、包装装置１００は、計量ラベルプリンタ制御部Ｇと、包装機構制御部Ｉと、を有する。
計量ラベルプリンタ制御部Ｇは、主として計量ラベルプリンタ関係の制御を行うものでＣＰＵ３６によって制御される。包装機構制御部Ｉは、主として包装機の機構部の制御を行うもので制御部５２（ＣＰＵ）によって制御される。
【００２４】
計量ラベルプリンタ制御部Ｇについて説明する。
ＣＰＵ３６には、バス３６ａを介してＲＯＭ３７、ＲＡＭ３８、表示操作部３９、計量部４０、通信用のインターフェース回路（ＩＮＦ）４１、印字部４２、吸着部駆動部４３、及び、商品検出センサ４４が接続されており、ＲＯＭ３７にはＣＰＵ３６が実行する各種制御プログラムが記憶されている。
なお、高さセンサ３ｂの一番下側のセンサは商品（被包装物Ｆ）の縦幅（奥行き）を検出するセンサを兼用している。被包装物Ｆの縦幅はこのセンサが被包装物Ｆの前端部を検出した時のプッシャーコンベア１の移動距離から算出される。
【００２５】
ＲＡＭ３８は、ＣＰＵ３６がＲＯＭ３７の制御プログラムを実行する場合に用いるレジスタ，フラグ等のエリアと、商品毎（被包装物Ｆ毎）に予め各種データが記憶されたプリセットデータエリアとを備えている。プリセットデータエリアには被包装物Ｆに含まれる商品に付与される商品番号に対応して、値段計算及びラベル印字用のデータである「品名（商品名）、例えば豚（モモ肉）」、「単価、例えば２５０（１００ｇ当り２５０円）」、「風袋、例えば５（トレイ重量５ｇ）」と、ラベル貼付用のデータである「ラベルの向き、例えば（１）」等が予め記憶されている。ここでラベルの向きのデータは、（１），（２），（３）の３種類で、
（１）…ラベルが発行された時の向きのまま
（２）…ラベルが発行された時の向き＋反時計回り方向に９０度回転
（３）…ラベルが発行された時の向き＋時計回り方向に９０度回転
のように意味付けられている。ここで、回転させる角度は９０度に限らず、任意の角度であってもよい（例えば、４５度等）。
【００２６】
表示操作部３９は、キーボードとタッチパネルからなる操作部と、液晶表示装置で構成された表示部とを備えており、操作部は各種データ及び各種指令の入力操作のためのものであり、表示部は、ＣＰＵ３６の指令に基づいて入力データの表示、プリセットデータの表示、各種メッセージの表示を行うものである。この操作表示部３９は、別名コンソール部とも呼ばれている。
【００２７】
計量部４０は商品載置部ａに載置された商品の計量信号をＣＰＵ３６へ供給する。通信用のインターフェース回路（ＩＮＦ）４１は、計量ラベルプリンタ制御部Ｇと包装機構制御部Ｉとの間で、各種データ、指令などの通信を行うための回路である。印字部４２は計量ラベルプリンタＢ，Ｂ’（後述）であり、ラベルに対する印字手段としてサーマルプリンタなどを備え、ＣＰＵ３６の制御によりラベルに品名、値段、単価、有効日、バーコード等の印字を行い、印字したラベルを発行口７に発行するものである。
【００２８】
吸着部駆動部４３（駆動機構Ｃ２，Ｃ２’）は、ラベル吸着部Ｃ１，Ｃ１’を移動させて発行口７，７’に発行されたラベルを吸着した後、被包装物Ｆの所定のラベル貼付位置へ移動させると共に、ラベル吸着面の向きを所定の向きとし、商品（被包装物Ｆ）に対してラベル吸着部を所定のタイミングで下降させることで被包装物Ｆの所定の位置に所定の向きでラベルを貼付するための機構部である。商品検出センサ４４は、ラベル貼付のための信号を発生するもので、商品がラベル貼付場所へ位置した場合、その旨をＣＰＵ３６へ供給する。
【００２９】
図６は、吸着部駆動部４３の構成の一例を示したものであり、次に、吸着部駆動部４３について説明する。
図６において、水平モータ駆動回路４３ａはラベル吸着部Ｃ１，Ｃ１’面を水平移動、即ち商品の搬送方向と直交する方向に移動させる水平モータＭ１，Ｍ１’を駆動する回路で、その水平モータＭ１，Ｍ１’としてはステッピングモータが使用されている。従って、ステッピングモータの駆動パルス数をカウントすることで吸着部の位置を検出することができる（例えば、右回転の時はプラスカウント、左回転の時はマイナスカウント）。また、水平モータ駆動回路４３ａに設けられている水平基準位置センサＦ１，Ｆ１’は、吸着部が水平方向の基準位置に位置したことを検出するセンサで、この基準位置からの前記駆動パルスのカウント値によって吸着部の水平方向の位置決めが行われる。
【００３０】
上下モータ駆動回路４３ｂ及び上下基準位置センサＦ２，Ｆ２’は、モータＭ２，Ｍ２’が吸着部を上下方向へ移動させるものである以外は水平モータＭ１，Ｍ１’と同様である。又、回転モータ駆動回路４３ｃ及び回転基準位置センサＦ３，Ｆ３’は、モータＭ３，Ｍ３’がラベル吸着部Ｃ１，Ｃ１’を商品搬送面と平行な面で回転させるモータで、モータＭ３，Ｍ３’の駆動パルスで位置決めされるのは距離ではなく、回転角度である点を除くと前記した水平モータＭ１，Ｍ１’の場合と同じである。ラベル貼付センサＦ４，Ｆ４’は、ラベルが商品に貼付されたこと、つまりラベル吸着部Ｃ１，Ｃ１’の吸着面８，８’が商品に当接されたことを検出するセンサで、ラベル吸着部Ｃ１，Ｃ１’に上側方向の力が一定以上加わったことにより前記上側の平行アームが支持腕から離間したことを検出している。また、センサ信号処理部４３ｄは、ラベル貼付センサＦ４，Ｆ４’の出力信号に基づいて、それぞれラベル吸着部Ｃ１，Ｃ１’のラベル貼付検出を行うためのものである。
【００３１】
ここで、上述したように、水平モータＭ１，Ｍ１’、モータＭ２，Ｍ２’、モータＭ３，Ｍ３’はそれぞれステッピングモータであり、その駆動ステップと駆動方向に基づいて、それぞれのモータが駆動する対象（ラベル吸着部Ｃ１，Ｃ１’）の水平移動位置、上下移動位置、回転位置を検出（算出）することができるので、水平モータ駆動回路４３ａが水平基準位置センサＦ１，Ｆ１’の機能も有し、上下モータ駆動回路４３ｂが上下基準位置センサＦ２，Ｆ２’の機能も有し、回転モータ駆動回路４３ｃが回転基準位置センサＦ３，Ｆ３’の機能も有している。
【００３２】
次に、包装装置１００の包装機構制御部Ｉの制御部５２（ＣＰＵ）について説明する。制御部５２にはバス５２ａを介して通信用インターフェース回路（ＩＮＦ）５３，ＲＯＭ５４，ＲＡＭ５５，操作部５６，及び、機構駆動部５７が接続されている。通信用インターフェース回路（ＩＮＦ）５３は、計量ラベルプリンタ制御部Ｇと各種データ、指令の通信を行うための回路である。ＲＯＭ５４は、制御部５２が実行する制御プログラムなどを記憶している。
ＲＡＭ５５は、制御部５２がＲＯＭ５４の制御プログラムを実行する場合に用いる各種レジスタ及びフラグのエリアの他に商品の形状データ（縦、横、高さ）に基づいて制御データを決定するための各種テーブル等を記憶している。
【００３３】
そして、制御部５２は、包装装置１００における包装動作に関する制御を行う制御手段として機能するのみならず、後述のように、ユーザが行った操作に従って表示操作部３９にフィルム形状の変化などを表示するフィルム形状表示制御手段、及び、ユーザが設定した値を制御データとして設定する設定手段等としても機能する。
【００３４】
図７は包装装置１００の記憶部に記憶されているトレイ情報の一例を示す図である。
図７に示したように、トレイ情報は、トレイ種別を示す情報、トレイの幅情報、トレイの高さ情報、トレイの縦幅（奥行き）情報、トレイに対応した基準のフィルム長さ（カット長）情報、トレイの重量情報（風袋重量）などを関連付けて記憶している。
図７に示したトレイ情報は、記憶部としてのＲＡＭ５５に記憶されていてもよいし、ＲＯＭ５４、ＲＯＭ３７、ＲＡＭ３８などの記憶部に記憶されていてもよい。
【００３５】
図５に示したように、操作部５６は、装置の起動、停止等のためのスイッチである。機構駆動部５７は、包装を実行する場合に包装機の各機構部を駆動するための回路である。機構駆動部５７には、具体的には、エレベータ２を駆動するモータ５８，商品を搬入するコンベア１の搬入モータ５９，フィルム搬送機構Ａ３のモータ６０等が電気的に接続されている。機構駆動部５７には、商品の載置ズレ及び商品の幅を検出する反射型光センサ６１（３ａ，３ａ’）と、商品の縦幅及び高さを検出する高さ検出センサ６２（３ｂ）が接続されており、検出データを制御部５２に出力するように構成されている。
【００３６】
次に、被包装物Ｆをフィルム５’で包装する際のフィルム５’の張りの強さの設定について説明する。ここで、フィルム５’の前後左右の方向を次のように定める。まず、フィルム５’の前後方向は、フィルムロール５から繰り出されるフィルム５’の繰り出し方向と直交する方向を前後方向とする。また、フィルム５’の繰り出し方向（幅方向）を左右方向とする。なお、フィルム５’のようにストレッチ性のあるフィルムには伸び率に異方性があり、同じ張る強さの力を作用させた場合、通常、包装用の一軸延伸フィルムの場合は、前後方向の方が左右方向よりも大きく伸びる（伸び率が大きい）。また、二軸延伸フィルムの場合は、前後左右何れの方向にも大きく伸びる。従って、使用されるフィルムの種類により包装を制御する制御データの設定値を変える必要がある。
【００３７】
被包装物Ｆをフィルム５’で包装する際の、左右方向のフィルム５’の張りの強さは、例えば、次の２つの方法のいずれかにより、設定できる。
１つ目の方法（プリストレッチ量）は、プレストレッチ機構（フイルムを挟持するクランプ）がフィルム５’の幅方向を拡張する際に、フィルム５’を伸ばす量によりフィルム５’の左右方向の張りの強さを変えることで、左右方向の張りの強さを設定する方法である。この１つ目の方法では、プレストレッチ機構がフィルム５’を伸ばす量を増やすと、フィルム５’の左右方向の張りの強さが大きくなるので、その伸ばす量の大きさを決めることで、フィルム５’の左右方向の張りの強さを設定する。
【００３８】
したがって、実際に被包装物Ｆを包装する際には、フィルム５’の左右方向の張りの強さの設定値に対応して、プレストレッチ機構（フイルムを挟持するクランプ）がフィルム５’の幅方向に伸ばす量を制御部５２が調整することで、被包装物Ｆを包装するフィルム５’の左右方向の張りの強さを、その設定値に応じた強さに設定する。
【００３９】
２つ目の方法（左右折り込み板及び後折り込み板の始動タイミング）は、左右折り込み板Ａ５が、フィルム５’をトレイ底面に折り込む際に、フィルム５’をトレイ底面に折り込む量（左右折り込み板Ａ５がトレイ底面に入り込む量）を変えると、フィルム５’の左右方向の張りの強さが変わるので、それを利用して、フィルム５’の左右方向の張りの強さを設定する方法である。この２つ目の方法では、左右折り込み板Ａ５がトレイ底面に入り込む量を（フィルム折り込み量）を変えることで、フィルム５’の被包装物Ｆを包装する際のフィルム左右方向の張りの強さを設定することができる。
【００４０】
したがって、実際に被包装物Ｆを包装する際には、フィルム５’の左右方向の張りの強さの設定値に対応して、左右折り込み板Ａ５の折込み時にフィルム５’をトレイ底面に左右折り込み板Ａ５を折り込む量（深さ）を制御部５２が調整することで、被包装物Ｆを包装するフィルム５’の左右方向の張りの強さを、その設定値に応じた強さに設定する。
【００４１】
被包装物Ｆをフィルム５’で包装する際の、前後方向のフィルム５’の張りの強さは、例えば、次の２つの方法（クランプ解放タイミング）を用いることにより設定できる。
１つ目の方法は、後折り込み板Ａ６がフィルム５’をトレイ底面に折り込む際に、フィルム５’をクランプが離すタイミングを変えると、フィルム５’の前後方向の張りの強さが変わるので、それを利用して、フィルム５’の前後方向の張りの強さを設定する方法である。この１つ目の方法では、後折り込み板Ａ６の折込み時にフィルム５’をクランプが離すタイミングを遅くするほど、フィルム５’を張る強さを大きくすることができるので、後折り込み板Ａ６の折込み時にフィルム５’をクランプが離すタイミングを決めることで、フィルム５’の前後方向の張りの強さを設定する。そして、この１つ目の方法は、フィルム５’の前後方向のうち、トレイの後ろ側（奥側あるいは図示の上側）のフィルム５’の張りの強さを設定するために用いる。
【００４２】
したがって、実際に被包装物Ｆを包装する際には、フィルム５’のトレイの後ろ側の張りの強さの設定値に対応して、後折り込み板Ａ６がフィルム５’をトレイ底面に折り込む際に、フィルム５’をクランプが離すタイミングを制御部５２が調整することで、被包装物Ｆを包装するフィルム５’のトレイの後ろ側の張りの強さを、その設定値に応じた強さに設定する。
【００４３】
２つ目の方法は、プッシャにより被包装物Ｆが押し出されて排出される時に前折り込みローラ６’によりフィルム５’をトレイの前側端部の底面に折り込む際の折り込み量を変えることで、フィルム５’の前方向の張りの強さを設定する方法である。この２つ目の方法では、プッシャにより被包装物Ｆが押し出される時に前折り込みローラ６’によりフィルム５’がトレイの前側端部の底面に折り込む際に、クランプがフィルム５’を離すタイミングを遅らすことにより前側端部を折り込む際の折り込み量を増やすことになるので、フィルム５’の前方向の張りの強さを大きくすることができる。その折り込み量の大きさは、クランプがフィルム５’を離すタイミングを決めることで、フィルム５’の前方向の張りの強さを設定する。
【００４４】
したがって、実際に被包装物Ｆを包装する際には、フィルム５’のトレイの前側の張りの強さの設定値に対応して、プッシャにより被包装物Ｆが押し出された時に前折り込みローラ６’ によりフィルム５’をトレイの前側端部の底面に折り込む際に、フィルム５’をクランプが離すタイミングを調整することにより、フィルム５’の折り込み量を制御部５２が調整することができ、被包装物Ｆを包装するフィルム５’のトレイの前側の張りの強さを、その設定値に応じた強さに設定することができる。
【００４５】
次に、トレイを包装するフィルム５’の張りの強さの設定操作について説明する。
図８は、操作表示部３９の表示部に表示したトレイ設定画面の一例を示し、図９は、操作員がフィルムの張りの強さを大きくする方向に操作した際のトレイ設定画面の一例を示し、図１０は、操作員がフィルムの張りの強さを小さくする方向に操作した際のトレイ設定画面の一例を示し、図１１は、操作員がフィルムが破断する可能性がある操作をした際のトレイ設定画面の一例を示す。
このトレイ設定画面には、トレイ設定の内容として「簡易設定」を使うか「詳細設定」を使うかを指定操作するためのボタンＢＢ１，ＢＢ２と、トレイサイズの設定画面、及び、トレイ設定の操作内容を表示するための設定表示画面ＳＢが表示されている。なお、他の表示要素及び操作要素については、本発明の内容に直接関係しないので、説明を省略する。
【００４６】
また、本実施例では、後述のように、包装機構制御部Ｉの制御部５２（ＣＰＵ）（フィルム形状表示制御手段）が操作表示部３９との間で、バス３６ａ、ＩＮＦ４１，５３、及びバス５２ａを介して適宜にデータ通信を相互に行うことで、入力値に従ったフィルム形状の表示制御を行っているが、この表示制御を計量ラベルプリンタ制御部ＧのＣＰＵ３６に行わせることもできる。
【００４７】
ここで、図８では、「簡易設定」が選択されていて、ボタンＢＢ１が選択されていることをあらわす態様（反転表示）で表示されている。この「簡易設定」では、設定表示画面ＳＢの左側にはトレイサイズの設定画面が配置され、設定表示画面ＳＢの右側にはフィルムの張り強さ設定画面ＳＢａ（以下、単に「設定画面ＳＢａ」という）が配置されている。そして、図８〜１０では、「簡易設定（簡易設定画面）」が選択されている場合の動作について説明する。
【００４８】
なお、設定表示画面ＳＢの表示内容は、トレイ設定の具体的内容に応じて、適宜に切り換えることができるが、本実施例では、トレイ（被包装物Ｆ）を包装するフィルム５’の張りの強さを設定操作する点を主に説明するので、それ以外の設定操作に関する画面についての説明を省略する。
【００４９】
図８の設定画面ＳＢａの表示内容は、フィルム５’の張りの強さを設定する際のデフォルトの表示内容を示している。この場合、設定画面ＳＢａには、被包装物Ｆ（の一部）であるトレイを俯瞰した画像ＧＡに重ねて、デフォルト状態のフィルム５’を示す画像ＧＢを表示している。このデフォルト状態の画像ＧＢは、略四辺形の形状で、その上下の辺が直線であらわされるとともに左右の辺が波線であらわされていて、フィルム５’を張る力が平衡している様子を、この包装装置１００の操作員が視覚的に認識できるような画像（形状イメージ画像）となっている。
【００５０】
そして、画像ＧＢに重ねて、張りの強さを大きくする方向に操作するためのボタンＢＡと、張りの強さを小さくする方向に操作するためのボタンＢＢが左右に離して表示され、ボタンＢＡとボタンＢＢの間には、張りの強さの度合いを表示するための刻み表示が略所定間隔で付された目盛り画像ＳＣと、現在の張りの強さを示すスライダ画像ＳＬが表示されている。スライダ画像ＳＬは、目盛り画像ＳＣのいずれかの刻み表示に重ねて表示される。
【００５１】
ここで、目盛り画像ＳＣ及びスライダ画像ＳＬは、次のような内容を示す表示要素である。まず、目盛り画像ＳＣの中央の刻み表示位置にスライダ画像ＳＬが重ねられている状態は、フィルムの張りの強さがデフォルト状態であることを示す（図８参照）。このデフォルト状態では、制御部５２（フィルム形状表示制御手段）は、フィルム５’の張りの強さを示す値を、所定のデフォルト値に設定する。なお、制御部５２は、フィルム５’の張りの強さを示す値を、簡易設定の場合には１つ設定し、その設定した値に対応して、左右の張りの強さの値と、奥側の張りの強さの値と、手前側の張りの強さの値をそれぞれ設定して、実際の張りの強さの値を設定する際に用いる。
【００５２】
そこから、スライダ画像ＳＬの表示位置を右方向（ボタンＢＡの表示位置に近づく方向）へ移動するに従ってフィルムの張りの強さが大きくなることを示し、また、中央の刻み表示位置からスライダ画像ＳＬの表示位置を左方向（ボタンＢＢの表示位置に近づく方向）へ移動するに従ってフィルムの張りの大きさが小さくなることを示している。
【００５３】
この状態から、この包装装置１００の操作員が、フィルム５’の張りの強さを大きくするためにボタンＢＡをタッチ操作すると、そのタッチ操作の内容が操作表示部３９から制御部５２（ＣＰＵ）へ通知されて、制御部５２は、フィルム５’の張りの強さを示す値を、一段階大きい値に内部的に設定（更新）する。それとともに、制御部５２は、操作表示部３９に表示する表示画面の表示内容を、一定時間（例えば、１秒間のような短い時間）、次のように変化させる。
【００５４】
まず、図９に示すように、フィルム５’の画像として、フィルム５’の張りの強さが大きくなったことを操作員にイメージさせるような画像（形状イメージ画像）、この場合は、例えば、図示のように、四辺がそれぞれ外側に張り出しているような形状の画像ＧＢａを表示する。これにより、操作員は、自分が行ったタッチ操作に応じて、フィルム５’の張りの強さが大きくなったことを視覚的に認識できる。
【００５５】
また、この場合には、操作員がフィルム５’を張る力を「＋」側（大きくする方向）に操作するボタンＢＡをタッチ操作したことで、制御部５２は、フィルム５’の張りの強さを示す値を一段階大きい値に内部的に設定（更新）したので、制御５２は、その内部的に設定したフィルム５’の張りの強さを示す値に対応して、目盛り画像ＳＣ上のスライダ画像ＳＬの表示位置を変更する。その結果、この場合は、目盛り画像ＳＣ上のスライダ画像ＳＬの表示位置が、一目盛り分、図の右側へ移動する。それにより、操作員は、自分の行った操作に対する包装装置１００の内部状態の変化（操作の結果）を視覚的に認識できる。
【００５６】
このように、制御部５２は、操作員のタッチ操作に対応して操作表示部３９に表示する設定画面ＳＢａの表示内容を変化させると、その状態を一定時間維持した後、フィルム５’の画像を画像ＧＢａからデフォルト状態の画像ＧＢへ戻す。このとき、スライダ画像ＳＬの表示位置は移動後の位置のままにしておいて、目盛り画像ＳＣ上のスライダ画像ＳＬの表示位置が、操作員の操作後に内部的に設定されたフィルム５’の張りの強さの大きさに対応した位置から変わらないようにする。
【００５７】
また、図８の状態から、操作員が、フィルム５’の張りの強さを小さくするためにボタンＢＢをタッチ操作すると、そのタッチ操作の内容が操作表示部３９から制御部５２へ通知されて、制御部５２は、フィルム５’の張りの強さを示す値を、一段階小さい値に内部的に設定（更新）する。それとともに、制御部５２は、操作表示部３９に表示する表示画面の表示内容を、一定時間次のように変化させる。
【００５８】
まず、図１０に示すように、フィルム５’の画像として、フィルム５’の張りの強さが小さくなったことを操作員にイメージさせるような画像（形状イメージ画像）、この場合は、例えば、図示のように、四辺がそれぞれ内側にへこんでいるような形状の画像ＧＢｂを表示する。これにより、操作員は、自分が行ったタッチ操作に応じて、フィルム５’の張りの強さが小さくなったことを視覚的に認識できる。
【００５９】
また、この場合には、操作員がフィルム５’を張る力を「−」側（小さくする方向）に操作するボタンＢＢをタッチ操作したことで、制御部５２は、フィルム５’の張りの強さを示す値を一段階小さい値に内部的に設定（更新）したので、制御５２は、その内部的に設定したフィルム５’の張りの強さを示す値に対応して、目盛り画像ＳＣ上のスライダ画像ＳＬの表示位置を変更する。その結果、この場合は、目盛り画像ＳＣ上のスライダ画像ＳＬの表示位置が、一目盛り分、図の左側へ移動する。それにより、操作員は、ボタンＢＡを操作したときと同様に、自分の行った操作に対する包装装置１００の内部状態の変化（操作の結果）を視覚的に認識できる。
【００６０】
このように、制御部５２は、操作員のタッチ操作に対応して操作表示部３９に表示する設定画面ＳＢａの表示内容を変化させると、その状態を一定時間維持した後、フィルム５’の画像を画像ＧＢｂからデフォルト状態の画像ＧＢへ戻す。このとき、スライダ画像ＳＬの表示位置は移動後の位置のままにしておいて、目盛り画像ＳＣ上のスライダ画像ＳＬの表示位置が、操作員の操作後に内部的に設定されたフィルム５’の張りの強さの大きさに対応した位置から変わらないようにする。
【００６１】
このようにして、本実施例では、操作員が、ボタンＢＡ，ＢＢをタッチ操作した直後の短い時間だけ、そのタッチ操作されたボタンＢＡ，ＢＢの区別に応じて、操作員に提示するフィルム５’の表示画像（形状イメージ画像）を変えるようにしているので、操作員は、タッチ操作に応じてフィルム５’の張りの強さが変化したことを視覚的に認識でき、その結果、包装状態を視覚的に認識することができるので、操作者が行うフィルム５’の張りの強さの設定作業を補助することができる。
【００６２】
すなわち、操作表示部３９に表示される操作画面上でフィルム５’の張りの様子がシミュレーション表示されるので、操作者は、フィルム５’の張りの強さの設定作業中に表示操作部３９の表示画像を見ることで、自分の設定操作に伴ってフィルム５’の張りの強さがどの程度に変化するかを確認でき、その結果、操作者が、フィルムの張りの強さの設定作業と実際に商品（被包装物）の包装とを交互に実施する必要がなくなり、その設定作業の手間を大幅に軽減することができる。
【００６３】
前述のように、スライダ画像ＳＬ等の操作子を操作することにより設定される制御部５２が用いる制御データは、「クランプ解放タイミング」、「プリストレッチ量」、「左右折り込み板及び後折り込み板の始動タイミング」であるが、この他に、フィルムカット長さ、「カット方式」などを含めてもよい。
【００６４】
なお、設定されるフィルムの張りの強さ等の制御データは、スライダ画像ＳＬ等の操作子の操作により、基準データにスライダ画像ＳＬ等の操作子の操作量に応じた値が加算、減算されて最終的な制御データとして設定される。
【００６５】
上述した「クランプ解放タイミング」，「プリストレッチ量」，「カット方式」について簡単に説明する。クランプ解放タイミングは、被包装物（商品）の「奥行＋高さ」寸法が大きい程、早い解放にし、又、フィルム特性で収縮率が高い、密着性が低い、或いは伸び率が高い場合は遅い解放とする。
【００６６】
「プリストレッチ量（フイルムを挟持するクランプの移動量）」は、被包装物（商品）の「奥行＋高さ」寸法が大きい程、その量を大きくする。又、フィルム特性で収縮率が高い、密着性が低い、或いは伸び率が低い場合は、プリストレッチ量を大きくする。
【００６７】
また、「プリストレッチ量（フイルムを挟持するクランプの移動量）」は、被包装物の奥行き寸法に応じて変わり、フィルム特性で収縮率が高い又は密着率が弱い場合は、プリストレッチ量を大きくする。これにより、フィルムの折り込み代（フィルムの重なり合う面積）の収縮による減少分又は密着力を補うことができる。
【００６８】
「カット方式」は、使用するフィルム種類の指定（選択）時にフィルムの種類に応じて設定されるようにするとよい。この「カット方式」とは、フィルム引き出し中にカットする方式か、フィルム引き出し後にフィルムを停止させてカットする方式かを選択するデータで、裂けやすいフィルム特性の場合は、停止させてカットする方式が標準のフィルムに比べて前記被包装物（商品）の「奥行＋高さ」寸法の小さい方に増える。（被包装物（商品）の「奥行＋高さ」寸法が小さければプリストレッチ量が少なくて済み、フィルムの裂けがないので引き出し中にカットする方式となり、被包装物（商品）の「奥行＋高さ」寸法が大きければプリストレッチ量が多くなりフィルムが裂けてしまうので停止してカットする方式となるため、裂けやすいフィルムは比較的小さい被包装物でも停止させてカットし、カット縁の荒れをなくして、フィルム裂けを防止する。）
【００６９】
また、前述の制御データに、折り込み時にクランプ手段同士を接近させる開始タイミングデータを加えるとよい。例えば、伸び率が小さいフィルムでは早めに接近させることで張力の過度の増大を防止して被包装物の潰れを防止できる。
更に、フィルム種類の指定はオペレータが操作することに限定されず、フィルム種類を自動的に識別して指定してもよい。例えば、フィルムのロール芯に識別マークを付けておき、そのロールがセットされている間に装置がマークを読み込むことで可能である。
また、商品の横幅に関しては、商品の横幅寸法に応じてフィルムカット長さは変える必要があり、伸び率が低いフィルムの場合はその分カット長さを長くするようにするとよい。
【００７０】
図１１は、操作表示部３９が設定画面ＳＢａ内でタッチ操作されたことを検出した場合に、制御部５２が行う処理の一例を示している。
【００７１】
操作表示部３９が設定画面ＳＢａ内でタッチ操作されたことを検出すると、そのタッチ操作の対象が「＋」のボタンＢＡであるか「−」のボタンＢＢであるかを判別する（ステップＳ１０１，Ｓ１０２）。
【００７２】
タッチ操作の対象がボタンＢＡであり、ステップＳ１０２の結果がＹＥＳになるときには、制御部５２は、フィルム５’の張りの強さを示す値を、一段階大きい値に内部的に設定（更新）する（ステップＳ１０３）。
【００７３】
次に、制御部５２は、操作表示部３９に表示する表示画面の表示内容として、図９に示すように、フィルム５’の張りの強さが大きくなったことを操作員にイメージさせる画像ＧＢａをセットし（ステップＳ１０４）、目盛り画像ＳＣ上のスライダ画像ＳＬの表示位置を、一目盛り分、右側へ移動した状態に表示位置に変更する（ステップＳ１０５）。
【００７４】
そして、ステップＳ１０４，Ｓ１０５で変更した表示内容に、設定画面ＳＢａの表示内容を一定時間、表示変更する（ステップＳ１０６）。
【００７５】
また、タッチ操作の対象がボタンＢＢであり、ステップＳ１０２の結果がＮＯになるときには、制御部５２は、フィルム５’の張りの強さを示す値を、一段階小さい値に内部的に設定（更新）する（ステップＳ１０７）。
【００７６】
次に、制御部５２は、操作表示部３９に表示する表示画面の表示内容として、図１０に示すように、フィルム５’の張りの強さが小さくなったことを操作員にイメージさせる画像ＧＢｂをセットし（ステップＳ１０８）、目盛り画像ＳＣ上のスライダ画像ＳＬの表示位置を、一目盛り分、左側へ移動した状態に表示位置に変更する（ステップＳ１０９）。
【００７７】
そして、ステップＳ１０６へ移行し、この場合は、ステップＳ１０７，Ｓ１０８で変更した表示内容に、設定画面ＳＢａの表示内容を一定時間、表示変更する。
【００７８】
ところで、上述したように、フィルム５’のようにストレッチ性のあるフィルムには伸び率に異方性があり、前後方向と左右方向に同じ張りの強さの力を作用させた場合、前後方向の方が左右方向よりも大きく伸びる。そのために、操作員の操作に従って、前後方向と左右方向の両方で、同じように張る強さを大きくしていった場合、前後方向よりも左右方向の伸び率が小さいので、フィルム５’が左右方向に破断する可能性がある。
【００７９】
このようなフィルム５’の破断については、例えば、操作員がボタンＢＡを繰り返しタッチ操作してフィルムの張りの強さ設定を行っている際に、操作ミスにより、フィルム５’の限界以上にフィルムの張りの強さを大きくした場合にも、フィルム５’が破断する可能性がある。
【００８０】
以上のように、フィルム５’が破断する可能性がある場合、いずれの場合であっても、操作表示部３９の操作に応じて制御部５２が設定するフィルムの張りの強さを示す値が、あらかじめそのフィルム５’の種別に応じて定められる限界値（図示略）よりも大きくなる。そこで、制御部５２は、操作表示部３９の操作の結果、フィルムの張りの強さを示す値が、その限界値よりも大きくなった場合、操作員にその旨を警報として報知して、そのような操作を受け付けないようにすることが好ましい。
【００８１】
図１２は、フィルムの張りの強さを示す値が、その限界値を超えて操作された場合に、操作員にその旨を警報として報知するために、設定画面ＳＢａに表示する表示内容の一例のように表示しても良い。
図１２において、フィルム５’の様子をあらわす画像として、中央部で左右に破断した状況を視覚的に認識できるような画像ＧＢｘを表示する。この画像ＧＢｘとしては、フィルム５’が中央で勢いよく破断して左右に分裂する可能性があることを、操作員に視覚的に認識させることができるような形状イメージ画像を用いると良い。
【００８２】
そして、その画像ＧＢｘの上部に、例えば、図示のように、「破断する危険があります！」という報知メッセージ（警告メッセージ）を文字列として表示したり、スライダ画像ＳＬの表示色を警告をあらわす色（例えば、赤色）の警告画像ＳＬｘとして表示すると共に、その警告画像ＳＬｘの表示を点滅するなどする（スライダ画像ＳＬの表示属性などを警告用の内容に変更する）。
【００８３】
このように、操作員の操作が原因となって、危険な状況（フィルム５’の破断）が発生する可能性がある旨を操作員に報知する内容を、設定画面ＳＢａに表示することで、操作員の操作に対する警告を行うと共に、そのときの操作を受け付けないようにして（フィルムの張りの強さを示す値を、操作前の値やデフォルト値に再設定する等）、不適切な操作による包装装置１００の動作を行わないようにする。
【００８４】
このとき、さらに、設定画面ＳＢａに表示する報知メッセージに加えて、警告の原因となった操作を解消するための別の操作を案内するガイダンスメッセージを表示すると、操作員の（精神的な）負担を軽減したり、包装装置１００の操作の習熟度が低い操作員を適切に補助できる。
【００８５】
そして、設定画面ＳＢａに表示された報知メッセージ等を確認した操作員は、フィルムの張りの強さを弱くする操作を行うなど、警報の原因となった操作を解消するための別の操作（危険回避のための操作）を行うことで、フィルムの張りの強さを適切な値に再設定する。
【００８６】
このように、操作員がフィルムの張りの強さを適切な値に再設定する操作を行うと、その操作に伴って操作表示部３９から入力する情報に基づいて、制御部５２が設定するフィルムの張りの強さを示す値が、フィルム５’に対応した限界値よりも小さくなるので、制御部５２は、設定画面ＳＢａに表示する表示内容を、図１２に示した警告表示画面から、例えば、図９に示す通常の表示画面に戻して、警告表示を終了する。
【００８７】
図１３は、操作表示部３９が設定画面ＳＢａ内でタッチ操作されたことを検出した場合に、制御部５２が行う処理の他の例を示している。この例は、フィルムの張りの強さの設定値が対応する限界値よりも大きくなった場合の処理を含む。
【００８８】
操作表示部３９が設定画面ＳＢａ内でタッチ操作されたことを検出すると、そのタッチ操作の対象が「＋」のボタンＢＡであるか「−」のボタンＢＢであるかを判別する（ステップＳ２０１，Ｓ２０２）。
【００８９】
タッチ操作の対象がボタンＢＡであり、ステップＳ２０２の結果がＹＥＳになるときには、制御部５２は、フィルム５の張りの強さを示す値を、一段階大きい値に内部的に設定（更新）する（ステップＳ２０３）。
そして、制御部５２は、ステップＳ２０３で設定したフィルムの張りの強さを示す値が、そのときのフィルム５’に対応した限界値以下であるかどうかを調べる（ステップＳ２０４）。
【００９０】
ステップＳ２０３で設定したフィルムの張りの強さを示す値が、そのときのフィルム５’に対応した限界値以下であり、ステップＳ２０４の結果がＹＥＳになるときには、制御部５２は、操作表示部３９に表示する表示画面の表示内容として、図９に示すように、フィルム５’の張りの強さが大きくなったことを操作員にイメージさせる画像ＧＢａをセットし（ステップＳ２０５）、目盛り画像ＳＣ上のスライダ画像ＳＬの表示位置を、一目盛り分、右側へ移動した状態に表示位置に変更する（ステップＳ２０６）。
【００９１】
そして、ステップＳ２０５，Ｓ２０６で変更した表示内容に、設定画面ＳＢａの表示内容を一定時間、表示変更する（ステップＳ２０７）。
一方、ステップＳ２０３で設定したフィルムの張りの強さを示す値が、そのときのフィルム５’に対応した限界値よりも大きい場合であり、ステップＳ２０４の結果がＮＯになるときには、制御部５２は、操作表示部３９に表示する表示画面の表示内容として、図１２に示すように、表示内容として画像ＧＢｘとスライダ画像ＳＬｘをセットし（ステップＳ２０８）、ステップＳ２０７へ移行し、この場合は、ステップＳ２０８で変更した表示内容に、設定画面ＳＢａの表示内容を一定時間、表示変更する。
【００９２】
また、タッチ操作の対象がボタンＢＢであり、ステップＳ２０２の結果がＮＯになるときには、制御部５２は、フィルム５’の張りの強さを示す値を、一段階小さい値に内部的に設定（更新）する（ステップＳ２０９）。
【００９３】
次に、制御部５２は、操作表示部３９に表示する表示画面の表示内容として、図１０に示すように、フィルム５’の張りの強さが小さくなったことを操作員にイメージさせる画像ＧＢｂをセットし（ステップＳ２１０）、目盛り画像ＳＣ上のスライダ画像ＳＬの表示位置を、一目盛り分、左側へ移動した状態に表示位置に変更する（ステップＳ２１１）。
【００９４】
そして、ステップＳ２０７へ移行し、この場合は、ステップＳ２１０，Ｓ２１１で変更した表示内容に、設定画面ＳＢａの表示内容を一定時間、表示変更する。
【００９５】
なお、極端に横長のトレイ（例えば、いわゆる「サンマトレイ」など）を使う場合、操作員の操作に従って、フィルム５’の張りの強さを、前後方向と左右方向とで他のトレイ（例えば、いわゆる標準トレイ）を使う場合と同様に大きくしていくと、フィルム５’で包装した際に、フィルム５’がトレイの左右方向に作用する縮む方向の力がトレイが耐えられる力よりも大きくなることがあり、その場合には、トレイが屈曲して破損するおそれがあるので、使用するトレイの形状によっては、操作員の操作の結果、トレイが破損する事態が生じる可能性がある旨を報知したり、さらには、そのように限度を超えてフィルムの張りの強さを大きくするような操作を受け付けないようにするとよい。
【００９６】
なお、上述した実施例では、簡易設定の設定画面（簡易設定画面）において、フィルム５’の張りの強さの設定を、ボタンＢＡ，ＢＢをタッチ操作することで行えるようにしているが、それ以外に、例えば、上述の設定では表示要素として取り扱っていたスライダＳＬを操作要素として用い、このスライダＳＬを左右にドラッグ操作（タッチした操作要素をタッチしたままの状態で移動させる操作）することで、フィルム５’の張りの強さの設定を行えるようにすることもできる。
【００９７】
ところで、上述した実施例の説明は、トレイ設定画面として簡易設定の設定画面を表示させた場合を説明したが、トレイ設定画面として詳細設定が選択された場合の操作表示部３９の表示画面（詳細設定画面）の一例を図１４に示す。なお、図１４において、図８と同一部分および相当する部分については、同一符号を付して、説明を省略する。
【００９８】
図１４において、設定表示画面ＳＢ（詳細設定画面）には、フィルムの張りの強さ設定のための設定画面ＳＢｂのみが表示されている。設定画面ＳＢｂの略中央には、フィルム５’の様子をあらわす画像ＧＢが表示されていて、その上側には、フィルム５’の上辺（トレイの奥側に対応する辺）の張りの強さを表示する表示欄と、張りの強さを大きくする方向に操作するための上向き矢印が表示された操作ボタンと、張りの強さを小さくする方向に操作するための下向き矢印が表示された操作ボタンとの組で構成された上辺側の張りの強さの操作要素ＳＳａが表示されている。
【００９９】
また、画像ＧＢの下側には、フィルム５’の下辺（トレイの手前側に対応する辺）の張りの強さを表示する表示欄と、張りの強さを大きくする方向に操作するための上向き矢印が表示された操作ボタンと、張りの強さを小さくする方向に操作するための下向き矢印が表示された操作ボタンとの組で構成された下辺側の張りの強さの操作要素ＳＳｃが表示されている。
【０１００】
また、画像ＧＢの略中央部に重ねて、フィルム５’の左右の張りの強さを表示する表示欄と、張りの強さを大きくする方向に操作するための外向きの両矢印（１つの線分の両端に外向き矢印を付したもの）が表示された操作ボタンと、張りの強さを小さくする方向に操作するための内向きの両矢印（同一線上に２つの線分を並べ、それらの線分が互いに向き合う端部にそれぞれ対向する矢印を付したもの）が表示された操作ボタンとの組で構成された左右方向の張りの強さの操作要素ＳＳｂが表示されている。
【０１０１】
そして、操作要素ＳＳａの上向き矢印の操作ボタンが操作されると、制御部５２は、上辺（奥側）の張りの強さを示す値を一段階大きく設定し、その設定後の張りの強さを表示欄に表示すると共に、画像ＧＢの上辺について、画像ＧＢａの上辺と同じように上側に張り出す形状で表示し、上辺の張りの強さが大きくなったことを操作員に視覚的に認識できるようにする（図示略）。
また、操作要素ＳＳａの下向き矢印の操作ボタンが操作されると、制御部５２は、上辺の張りの強さを示す値を一段階小さく設定し、その設定後の張りの強さを表示欄に表示すると共に、画像ＧＢの上辺について、画像ＧＢｂの上辺と同じように下側にへこんだ形状で表示し、上辺の張りの強さが小さくなったことを操作員に視覚的に認識できるようにする（図示略）。
【０１０２】
そして、操作要素ＳＳｃの上向き矢印の操作ボタンが操作されると、制御部５２は、下辺（手前側）の張りの強さを示す値を一段階大きく設定し、その設定後の張りの強さを表示欄に表示すると共に、画像ＧＢの下辺について、画像ＧＢａの下辺と同じように下側に張り出す形状で表示し、下辺の張りの強さが大きくなったことを操作員に視覚的に認識できるようにする（図示略）。
また、操作要素ＳＳｃの下向き矢印の操作ボタンが操作されると、制御部５２は、下辺の張りの強さを示す値を一段階小さく設定し、その設定後の張りの強さを表示欄に表示すると共に、画像ＧＢの下辺について、画像ＧＢｂの下辺と同じように上側にへこんだ形状で表示し、下辺の張りの強さが小さくなったことを操作員に視覚的に認識できるようにする（図示略）。
【０１０３】
そして、操作要素ＳＳｂの外向きの両矢印の操作ボタンが操作されると、制御部５２は、左右の張りの強さを示す値を一段階大きく設定し、その設定後の張りの強さを表示欄に表示すると共に、画像ＧＢの左右の辺について、画像ＧＢａの左右の辺と同じように外側に張り出す形状で表示し、左右の張りの強さが大きくなったことを操作員に視覚的に認識できるようにする（図示略）。
また、操作要素ＳＳｂの内向きの両矢印の操作ボタンが操作されると、制御部５２は、左右の張りの強さを示す値を一段階小さく設定し、その設定後の張りの強さを表示欄に表示すると共に、画像ＧＢの左右の辺について、画像ＧＢｂの左右の辺と同じように内側にへこんだ形状で表示し、左右の張りの強さが小さくなったことを操作員に視覚的に認識できるようにする（図示略）。
なお、本実施例の制御部５２の処理内容は、上述した実施例と同様なので、説明を省略する。
【０１０４】
このようにして、詳細設定の設定画面（詳細設定画面）においても、各操作要素（操作子）ＳＳａ，ＳＳｂ，ＳＳＣを操作することで、簡単にフィルム５’の張りの強さを設定することができる。
また、設定画面ＳＢａに表示する包装物の寸法に合わせて表示するフィルムＳＣを操作子で操作した時に表示する張りの強さの状態（表示態様）は、性質の異なるフィルムの種類毎に表示態様を変更するようにするとよい。
【０１０５】
ところで、上述した各実施例において制御部５２が行う処理のプログラムは、計量ラベルプリンタ制御部ＧのＲＯＭ３８など、適宜な記憶手段に保存しておくことができる。
また、上述した各実施例では、キーボードとタッチパネルからなる操作部（入力手段）を備えているが、そのタッチパネルに代えて、同様の情報入力機能を備えた適宜な入力部を備えることもできる。
【産業上の利用可能性】
【０１０６】
本発明は、トレイと、該トレイに収容される物品とからなる被包装物を、ストレッチ性のあるフィルムで包装する包装装置であれば、どのような装置であっても、同様に適用することができる。また、トレイを含まない被包装物（例えば、野菜など）を、ストレッチ性のあるフィルムで包装する包装装置についても、同様にして適用することができる。
【符号の説明】
【０１０７】
３９  操作表示部
１００  包装装置
Ａ  ストレッチフィルム包装機
Ｂ，Ｂ’  計量ラベルプリンタ
Ｃ  ラベル貼付装置
Ｇ  計量ラベルプリンタ制御部
Ｉ  包装機構制御部
【図１】
2014181051.tif 000003
【図２】
2014181051.tif 000004
【図３】
2014181051.tif 000005
【図４】
2014181051.tif 000006
【図５】
2014181051.tif 000007
【図６】
2014181051.tif 000008
【図７】
2014181051.tif 000009
【図８】
2014181051.tif 000010
【図９】
2014181051.tif 000011
【図１０】
2014181051.tif 000012
【図１１】
2014181051.tif 000013
【図１２】
2014181051.tif 000014
【図１３】
2014181051.tif 000015
【図１４】
2014181051.tif 000016